(57)【要約】 エレベータのそらせ車交換方法は、位置決め部材(26a,26b)を既設のそらせ車組立体(10)のそらせ車軸(11)に接触させた状態で床上に設置する工程、移動架台(23)上の支持台(24)により既設のそらせ車組立体を受けた状態で既設のそらせ車組立体を巻上機から切り離す工程、移動架台を案内部材(22a,22b)に沿って移動させる工程、既設のそらせ車組立体を新たなそらせ車組立体に交換する工程、及び移動架台(23)を巻上機の下に移動させ、新たなそらせ車組立体のそらせ車軸を位置決め部材(26a,26b)に接触させて新たなそらせ車組立体の位置決めを行うとともに、支持台を上昇させる工程を含む。
2017046892.tif 000002
【特許請求の範囲】
【請求項１】
そらせ車軸と、前記そらせ車軸を中心として回転可能なそらせ車とを有しており、機械室の床上に設置されている巻上機の下部から吊り下げられている既設のそらせ車組立体を新たなそらせ車組立体に交換するエレベータのそらせ車交換方法であって、  位置決め部材を前記既設のそらせ車組立体の前記そらせ車軸に接触させた状態で前記床上に設置するとともに、案内部材を前記床上に設置する工程、  上下動可能な支持台が搭載されている移動架台を、前記案内部材に沿って前記既設のそらせ車組立体の下に移動させる工程、  前記支持台により前記既設のそらせ車組立体を受けた状態で前記既設のそらせ車組立体を前記巻上機から切り離す工程、  前記支持台を下降させ、前記移動架台を前記案内部材に沿って移動させる工程、  前記既設のそらせ車組立体を新たなそらせ車組立体に交換する工程、  前記移動架台を前記案内部材に沿って前記巻上機の下に移動させ、前記新たなそらせ車組立体のそらせ車軸を前記位置決め部材に接触させて前記新たなそらせ車組立体の位置決めを行うとともに、前記支持台を上昇させる工程、及び  前記新たなそらせ車組立体を前記巻上機の下部から吊り下げる工程  を含むエレベータのそらせ車交換方法。
【請求項２】
前記位置決め部材は、第１及び第２の径方向位置決め部材を含み、  前記位置決め部材を設置する工程では、前記第１及び第２の径方向位置決め部材を、前記そらせ車軸の外周面に接触させた状態で前記そらせ車軸の軸方向に互いに間隔をおいて前記床上に設置する請求項１記載のエレベータのそらせ車交換方法。
【請求項３】
前記巻上機は、前記床上に設置されている一対の機械台上に支持されており、  前記案内部材は、前記移動架台を前記機械台間で前記機械台に沿って移動させるように設置する請求項１又は請求項２に記載のエレベータのそらせ車交換方法。
【請求項４】
前記支持台により前記既設のそらせ車組立体を受けた状態で、前記移動架台に設けられている軸方向位置決め部材を前記そらせ車軸の軸方向の端面に接触させ、  前記既設のそらせ車組立体を前記新たなそらせ車組立体に交換した後に、前記新たなそらせ車組立体のそらせ車軸の軸方向の端面を前記軸方向位置決め部材に接触させる請求項１から請求項３までのいずれか１項に記載のエレベータのそらせ車交換方法。
【請求項５】
そらせ車軸と、前記そらせ車軸を中心として回転可能なそらせ車とを有しており、機械室の床上に設置されている巻上機の下部から吊り下げられている既設のそらせ車組立体を新たなそらせ車組立体に交換するために使用されるエレベータのそらせ車交換治具であって、  前記床上に設置される案内部材、  前記巻上機の下の空間である下部空間と前記下部空間の外側との間で前記案内部材に沿って移動可能な移動架台、  前記移動架台に搭載されている上下動可能な支持台、及び  前記既設のそらせ車組立体の前記そらせ車軸に接触させた状態で前記床上に設置される位置決め部材  を備えているエレベータのそらせ車交換治具。
【請求項６】
前記位置決め部材は、前記そらせ車軸の軸方向に互いに間隔をおいて設置され、前記そらせ車軸の外周面に接触する第１及び第２の径方向位置決め部材を含む請求項５記載のエレベータのそらせ車交換治具。
【請求項７】
前記移動架台と前記支持台との間には、前記支持台を上下動させるジャッキが設けられている請求項５又は請求項６に記載のエレベータのそらせ車交換治具。
【請求項８】
前記移動架台を前記案内部材に沿って移動させる駆動装置をさらに備えている請求項５から請求項７までのいずれか１項に記載のエレベータのそらせ車交換治具。
【請求項９】
前記支持台には、前記そらせ車軸の軸方向の端面に接触する軸方向位置決め部材が設けられている請求項５から請求項８までのいずれか１項に記載のエレベータのそらせ車交換治具。
【発明の詳細な説明】
【技術分野】
【０００１】  この発明は、既設のそらせ車を新たなそらせ車に交換するエレベータのそらせ車交換方法、及びその交換作業に使用されるそらせ車交換治具に関するものである。
【背景技術】
【０００２】  従来のエレベータの巻上機の据付方法では、機械室の床上に支持部材を仮設し、支持部材上にそらせ車装置を載せる。この後、機械室の床上に一対の機械台を設置し、機械台上に巻上機を設置する。そして、そらせ車装置を巻上機に連結し、支持部材を取り除く。支持部材の高さは、そらせ車装置が巻上機台の下面に接するような高さに調整されている（例えば、特許文献１参照）。【０００３】  また、従来のエレベータ用電動機の取り外し組み付け装置では、巻上機を取り外したり組み付けたりする際に、据付台に作業台を結合する。作業台上には、巻上機の電動機の軸方向に平行な２本のガイドレールと、ガイドレールに沿って移動可能な支持台とが設けられている。支持台上には、ターンテーブルが設けられている。ターンテーブル上には、ハウジングが設けられている。ハウジングは、油圧ジャッキにより昇降可能になっている（例えば、特許文献２参照）。
【先行技術文献】
【特許文献】
【０００４】
【特許文献１】特開２００３−５２７５９号公報
【特許文献２】特開平７−３０８０５０号公報
【発明の概要】
【発明が解決しようとする課題】
【０００５】  特許文献１に示された支持部材は、機械台上に巻上機を設置する前に機械室の床上に仮設されるものである。このため、既設の巻上機を残しつつ、既設のそらせ車を新たなそらせ車に交換する場合に、特許文献１の支持部材を用いると、そらせ車装置を移動するために、巻上機を機械台から一時的に撤去する必要が生じ、巻上機の撤去作業、及び芯出しを含む復元作業に手間がかかる。【０００６】  特許文献２に示された取り外し組み付け装置は、巻上機の電動機の保守に用いられるものであり、そらせ車の交換については特許文献２では述べられていない。また、特許文献２と同様の作業台を用いてそらせ車を交換する場合、新たなそらせ車の芯出し作業に手間がかかる。【０００７】  この発明は、上記のような課題を解決するためになされたものであり、そらせ車の交換作業の手間を軽減することができるエレベータのそらせ車交換方法及びそらせ車交換治具を得ることを目的とする。
【課題を解決するための手段】
【０００８】  この発明に係るエレベータのそらせ車交換方法は、そらせ車軸と、そらせ車軸を中心として回転可能なそらせ車とを有しており、機械室の床上に設置されている巻上機の下部から吊り下げられている既設のそらせ車組立体を新たなそらせ車組立体に交換するエレベータのそらせ車交換方法であって、位置決め部材を既設のそらせ車組立体のそらせ車軸に接触させた状態で床上に設置するとともに、案内部材を床上に設置する工程、上下動可能な支持台が搭載されている移動架台を、案内部材に沿って既設のそらせ車組立体の下に移動させる工程、支持台により既設のそらせ車組立体を受けた状態で既設のそらせ車組立体を巻上機から切り離す工程、支持台を下降させ、移動架台を案内部材に沿って移動させる工程、既設のそらせ車組立体を新たなそらせ車組立体に交換する工程、移動架台を案内部材に沿って巻上機の下に移動させ、新たなそらせ車組立体のそらせ車軸を位置決め部材に接触させて新たなそらせ車組立体の位置決めを行うとともに、支持台を上昇させる工程、及び新たなそらせ車組立体を巻上機の下部から吊り下げる工程を含む。  また、この発明に係るエレベータのそらせ車交換治具は、そらせ車軸と、そらせ車軸を中心として回転可能なそらせ車とを有しており、機械室の床上に設置されている巻上機の下部から吊り下げられている既設のそらせ車組立体を新たなそらせ車組立体に交換するために使用されるエレベータのそらせ車交換治具であって、床上に設置される案内部材、巻上機の下の空間である下部空間と下部空間の外側との間で案内部材に沿って移動可能な移動架台、移動架台に搭載されている上下動可能な支持台、及び既設のそらせ車組立体のそらせ車軸に接触させた状態で床上に設置される位置決め部材を備えている。
【発明の効果】
【０００９】  この発明のエレベータのそらせ車交換方法及びそらせ車交換治具は、巻上機を機械台に設置したままで、そらせ車の交換及び芯出しを行うことができ、そらせ車の交換作業の手間を軽減することができる。
【図面の簡単な説明】
【００１０】
【図１】この発明の実施の形態１によるそらせ車交換治具の使用中の状態を示す側面図である。
【図２】図１のそらせ車交換治具の使用中の状態を示す正面図である。
【図３】図１の支持台を下降させた状態を示す側面図である。
【図４】図２の支持台を下降させた状態を示す正面図である。
【図５】図３の移動架台を移動させている途中の状態を示す側面図である。
【図６】この発明の実施の形態２によるそらせ車交換治具の使用中の状態を示す側面図である。
【図７】この発明の実施の形態３によるそらせ車交換治具の使用中の状態を示す正面図である。
【図８】図７の要部を示す平面図である。
【発明を実施するための形態】
【００１１】  以下、この発明を実施するための形態について、図面を参照して説明する。  実施の形態１．  図１はこの発明の実施の形態１によるそらせ車交換治具の使用中の状態を示す側面図、図２は図１のそらせ車交換治具の使用中の状態を示す正面図である。図において、エレベータの機械室１の床２上には、一対の基台３ａ，３ｂが互いに平行かつ水平に設置されている。図２は、基台３ａの中間部を切り欠いて示している。
【００１２】  基台３ａ，３ｂ上には、一対の機械台４ａ，４ｂが互いに平行かつ設置されている。また、機械台４ａ，４ｂは、水平基台３ａ，３ｂに直角に配置されている。各機械台４ａ，４ｂは、断面Ｉ形の梁である。図１は、機械台４ｂの中間部を切り欠いて示している。
【００１３】  機械台４ａ，４ｂ上には、かご（図示せず）及び釣合おもり（図示せず）を昇降させる巻上機５が設置されている。巻上機５は、駆動シーブ６を有している。機械台４ａ，４ｂと巻上機５との間には、複数の防振部材７が介在している。
【００１４】  巻上機５の下部には、そらせ車装置８が固定されている。そらせ車装置８は、巻上機５の下面に複数本のボルトで固定されている一対のそらせ車梁９ａ，９ｂと、そらせ車梁９ａ，９ｂに支持されているそらせ車組立体１０とを有している。そらせ車組立体１０は、そらせ車梁９ａ，９ｂを介して巻上機５の下部から吊り下げられている。
【００１５】  そらせ車組立体１０は、そらせ車軸１１と、そらせ車軸１１を中心として回転可能なそらせ車１２と、そらせ車軸１１とそらせ車１２との間に介在している軸受（図示せず）とを有している。
【００１６】  駆動シーブ６及びそらせ車１２には、懸架体（図示せず）が巻き掛けられている。懸架体としては、複数本のロープ又は複数本のベルトが用いられている。かご及び釣合おもりは、懸架体により昇降路内に吊り下げられており、駆動シーブ６を回転させることにより昇降路内を昇降する。
【００１７】  床２上には、そらせ車交換治具２１が設置されている。そらせ車交換治具２１は、そらせ車組立体１０の交換時に床２上に設置され、エレベータの通常運転時には床２上から撤去されている。
【００１８】  また、そらせ車交換治具２１は、案内部材としての一対のレール２２ａ，２２ｂと、移動架台２３と、複数の支持台２４と、複数のジャッキ２５と、第１及び第２の径方向位置決め部材２６ａ，２６ｂを有している。
【００１９】  レール２２ａ，２２ｂは、機械台４ａ，４ｂ間の空間の下方で床２上に設置されている。また、レール２２ａ，２２ｂは、機械台４ａ，４ｂの長手方向に平行、かつ水平に設置されている。移動架台２３は、巻上機５の下の空間である下部空間とその外側との間でレール２２ａ，２２ｂに沿って移動可能になっている。移動架台２３には、レール２２ａ，２２ｂに沿って転がる複数の車輪２３ａが設けられている。
【００２０】  各支持台２４は、ジャッキ２５を介して移動架台２３上に搭載されている。各支持台２４は、ジャッキ２５により上下動可能になっている。即ち、支持台２４の高さは、ジャッキ２５により調整可能になっている。
【００２１】  第１及び第２の径方向位置決め部材２６ａ，２６ｂは、そらせ車軸１１の軸方向に互いに間隔をおいて配置されている。また、第１及び第２の径方向位置決め部材２６ａ，２６ｂは、そらせ車軸１１の軸方向両端部の外周面に接触させた状態で床２上又は機械台４ａ，４ｂ等に取り付けられている。第１及び第２の径方向位置決め部材２６ａ，２６ｂとしては、例えば芯出しブロック等が用いられている。
【００２２】  次に、実施の形態１のそらせ車交換方法について説明する。そらせ車組立体１０を交換する場合、まず準備作業として、床２上にそらせ車交換治具２１を設置する。このとき、径方向位置決め部材２６ａ，２６ｂをそらせ車軸１１に接触させておく。また、移動架台２３は、支持台２４を下げた状態で、下部空間外でレール２２ａ，２２ｂ上に設置する。
【００２３】  この後、移動架台２３をレール２２ａ，２２ｂに沿って既設のそらせ車組立体１０の下に移動させる。続いて、支持台２４を上昇させ、図１及び図２に示すように、そらせ車組立体１０及びそらせ車梁９ａ，９ｂを受けた状態にして、既設のそらせ車組立体１０をそらせ車装置８ごと巻上機５から切り離す。
【００２４】  次に、図３及び図４に示すように、支持台２４を下降させ、そらせ車装置８を巻上機５から引き離す。そして、移動架台２３をレール２２ａ，２２ｂに沿って下部空間外の交換作業可能スペースへ移動させる。このとき、移動架台２３は、機械台４ａ，４ｂ間で機械台４ａ，４ｂに沿って移動する。図５は移動架台２３をレール２２ａ，２２ｂに沿って移動させている途中の状態を示している。
【００２５】  この後、移動架台２３からそらせ車装置８を降ろし、そらせ車梁９ａ，９ｂから既設のそらせ車組立体１０を取り外す。そして、新たなそらせ車組立体をそらせ車梁９ａ，９ｂに取り付ける。即ち、既設のそらせ車組立体１０を新たなそらせ車組立体に交換する。新たなそらせ車組立体は、工場で正確に組み立てられている。
【００２６】  続いて、交換作業後のそらせ車装置を移動架台２３に載せ、移動架台２３をレール２２ａ，２２ｂに沿って巻上機５の下に移動させる。このとき、新たなそらせ車組立体のそらせ車軸を径方向位置決め部材２６ａ，２６ｂに接触させて新たなそらせ車組立体の位置決めを行うとともに、支持台２４を上昇させる。そして、そらせ車梁９ａ，９ｂを巻上機５に固定し、新たなそらせ車組立体を巻上機５の下部から吊り下げる。
【００２７】  このようなエレベータのそらせ車交換方法及びそらせ車交換治具２１では、既設のそらせ車組立体１０のそらせ車軸１１に接触させることで、第１及び第２の径方向位置決め部材２６ａ，２６ｂの位置決めを行っておき、新たなそらせ車組立体のそらせ車軸を第１及び第２の径方向位置決め部材２６ａ，２６ｂに接触させて新たなそらせ車組立体の位置決めを行うので、特別な芯出し作業をすることなく、そらせ車１２の位置を交換前の位置に精度良く復元できる。
【００２８】  また、そらせ車１２の上下方向への位置決めは、そらせ車梁９ａ，９ｂを巻上機５の下面に固定することにより行うことができる。さらに、第１及び第２の径方向位置決め部材２６ａ，２６ｂを基準にして設置したレール２２ａ，２２ｂに沿って移動架台２３を移動させることにより、新たなそらせ車組立体のそらせ車軸の軸方向の位置も容易に合わせることができる。
【００２９】  従って、巻上機５を機械台４ａ，４ｂに設置したままで、そらせ車１２の交換及び芯出しを行うことができ、そらせ車組立体１０の交換作業の手間を軽減することができる。
【００３０】  また、第１及び第２の径方向位置決め部材２６ａ，２６ｂを用いたので、そらせ車軸１１の中心線の振れも防止することができる。
【００３１】  さらに、新たなそらせ車を精度良く設置することにより、かごを吊り下げる懸架体の経路も精度良く復元することができる。
【００３２】  さらにまた、移動架台２３を機械台４ａ，４ｂ間で機械台４ａ，４ｂに沿って移動させるようにレール２２ａ，２２ｂを設置したので、そらせ車組立体１０の交換作業を少ない移動量で効率的に行うことができる。
【００３３】  また、ジャッキ２５により支持台２４を上下動させるので、簡単な構成によりそらせ車組立体１０を上下動させることができる。
【００３４】  実施の形態２．  次に、図６はこの発明の実施の形態２によるそらせ車交換治具の使用中の状態を示す側面図である。実施の形態２のそらせ車交換治具は、実施の形態１の構成に加えて、移動架台２３をレール２２ａ，２２ｂに沿って移動させる駆動装置２７、及び駆動装置２７と移動架台２３とを連結する駆動力伝達部材２８とをさらに有している。
【００３５】  駆動装置２７としては、例えば電動モータ又はチェーンブロック等が用いられている。駆動力伝達部材２８としては、例えば送りねじ又はワイヤ等が用いられている。他の構成及びそらせ車交換方法は、実施の形態１と同様である。
【００３６】  このような構成によっても、実施の形態１と同様の効果を得ることができる。また、そらせ車装置８を載せた移動架台２３をより簡単に移動させることができる。
【００３７】  実施の形態３．  次に、図７はこの発明の実施の形態３によるそらせ車交換治具の使用中の状態を示す正面図、図８は図７の要部を示す平面図である。実施の形態３では、そらせ車軸１１を受ける支持台２４に、そらせ車軸１１の軸方向の第１の端面に接触する第１の軸方向位置決め部材３１ａと、そらせ車軸１１の軸方向の第２の端面に接触する第２の軸方向位置決め部材３１ｂとがそれぞれ設けられている。
【００３８】  各軸方向位置決め部材３１ａ，３１ｂは、支持台２４上に固定されているボルト支持部３２と、ボルト支持部３２に設けられたねじ孔に締め込まれているジャッキボルト３３と、ジャッキボルト３３に組み合わされているロックナット３４とを有している。
【００３９】  第１及び第２の軸方向位置決め部材３１ａ，３１ｂは、そらせ車軸１１を軸方向両側から把持する把持機構を構成している。他の構成は、実施の形態１又は２と同様である。
【００４０】  このようなそらせ車交換治具を用いる場合、支持台２４により既設のそらせ車組立体１０を受けた状態で、軸方向位置決め部材３１ａ，３１ｂのジャッキボルト３３をそらせ車軸１１の軸方向の端面に接触させる。また、既設のそらせ車組立体１０を新たなそらせ車組立体に交換した後には、新たなそらせ車組立体のそらせ車軸の軸方向の端面をジャッキボルト３３に接触させる。他のそらせ車交換方法は、実施の形態１と同様である。
【００４１】  このような構成によっても、実施の形態１と同様の効果を得ることができる。また、そらせ車軸１１の軸方向の位置を精度良く復元することができる。
【００４２】  なお、実施の形態３では第１及び第２の軸方向位置決め部材３１ａ，３１ｂを示したが、いずれか一方を省略してもよい。  また、実施の形態１〜３では、既設のそらせ車装置８からそらせ車組立体１０を交換したが、既設のそらせ車軸１１を流用してそらせ車１２のみを交換したり、そらせ車組立体１０とともにそらせ車梁９ａ，９ｂを交換したりしてもよい。  さらに、案内部材は、レール２２ａ，２２ｂに限定されるものではない。  さらにまた、実施の形態１〜３では、ジャッキ２５により支持台２４を上下動させたが、例えばモータ又は油圧シリンダ等により上下動させてもよい。  また、この発明は、そらせ車を有するエレベータであれば、あらゆるタイプのエレベータに適用することができる。
【図１】
2017046892.tif 000003
【図２】
2017046892.tif 000004
【図３】
2017046892.tif 000005
【図４】
2017046892.tif 000006
【図５】
2017046892.tif 000007
【図６】
2017046892.tif 000008
【図７】
2017046892.tif 000009
【図８】
2017046892.tif 000010
【国際調査報告】
2017046892.tif 000011
2017046892.tif 000012
2017046892.tif 000013
2017046892.tif 000014